(57)【特許請求の範囲】
【請求項１】
複数のリモコンを使用し、優先権が設定されているリモコンに設定されている給湯温度を、住居へ湯を供給する給湯器の給湯温度とする給湯システムであって、
浴室に人が居るか否かを検出する人感センサーと、
前記浴室に設置されて給湯温度が設定されるとともに、前記人感センサーが人を検出する場合に優先権が設定される浴室リモコンと、
台所に設置されて給湯温度が設定されるとともに、前記人感センサーが人を検出しない場合に優先権が設定可能になる台所リモコンと、
前記浴室リモコン及び前記台所リモコンのうち、優先権が設定されているリモコンに設定されている給湯温度を、前記給湯器の給湯温度として決定する給湯温度決定部と、
を有し、
前記給湯温度決定部は、前記浴室リモコンに優先権が設定されている場合であって前記人感センサーが人を検出しないときには、優先権を前記浴室リモコンに維持した状態で前記給湯器の給湯温度を前記浴室リモコンに設定された温度よりも低い所定温度に変更する、
給湯システム。
【請求項２】
請求項１に記載の給湯システムにおいて、
前記所定温度は、給湯設定可能な最低温度である、
給湯システム。
【請求項３】
請求項１又は請求項２に記載の給湯システムにおいて、
前記給湯温度決定部は、前記給湯器の給湯温度を前記所定温度に変更するとともに、前記給湯器の最大出湯可能流量も変更する、
給湯システム。
【請求項４】
請求項１から請求項３までのいずれか１項に記載の給湯システムにおいて、
前記浴室リモコン又は前記台所リモコンの自動ボタンがオン状態の場合に、湯張りし、その後、保温・保水位処理を実行する自動処理部を有し、
前記自動処理部は、前記人感センサーが人を検出しない場合に、保温・保水位処理を休
止する、
給湯システム。
【請求項５】
住居へ湯を供給する給湯器と、
浴室に人が居るか否かを検出する人感センサーと、
前記浴室に設置されて給湯温度が設定されるとともに、前記人感センサーが人を検出する場合に優先権が設定される浴室リモコンと、
台所に設置されて給湯温度が設定されるとともに、前記人感センサーが人を検出しない場合に優先権が設定可能になる台所リモコンと、
を有し、前記浴室リモコン及び前記台所リモコンのうち、優先権が設定されているリモコンに設定されている給湯温度を、前記給湯器の給湯温度とする給湯システムの制御方法であって、
前記浴室リモコン及び前記台所リモコンのうち、優先権が設定されているリモコンに設定されている給湯温度を、前記給湯器の給湯温度として決定するとともに、前記浴室リモコンに優先権が設定されている場合であって前記人感センサーが人を検出しないときには、優先権を前記浴室リモコンに維持した状態で前記給湯器の給湯温度を前記浴室リモコンに設定された温度よりも低い所定温度に変更する給湯温度決定工程をさらに有する、
給湯システムの制御方法。
【請求項６】
浴室に人が居るか否かを検出する人感センサーと、
前記浴室に設置されて給湯温度が設定されるとともに、前記人感センサーが人を検出する場合に優先権が設定される浴室リモコンと、
台所に設置されて給湯温度が設定されるとともに、前記人感センサーが人を検出しない場合に優先権が設定可能になる台所リモコンと、
を有し、前記浴室リモコン及び前記台所リモコンのうち、優先権が設定されているリモコンに設定されている給湯温度を、前記給湯器の給湯温度とする給湯システムに用いられる給湯器であって、
前記浴室リモコン及び前記台所リモコンのうち、優先権が設定されているリモコンに設定されている給湯温度を決定給湯温度として運転するとともに、前記浴室リモコンに優先権が設定されている場合であって前記人感センサーが人を検出しないときには、優先権を前記浴室リモコンに維持した状態で前記浴室リモコンに設定された温度よりも低い所定温度を決定給湯温度として運転する、
給湯器。
【発明の詳細な説明】
【技術分野】
【０００１】
この発明は、省エネルギー性能に優れる給湯システム、給湯システムの制御方法及び給湯器に関する。
【背景技術】
【０００２】
ユーザーの利便性を向上すべく、１台の給湯器に対して複数のリモコンを組み合わせた給湯システムが広く知られている。たとえば、台所リモコンでは、フライパンやグリル皿などの調理具や、食器などに付着した油汚れを落としやすいように、比較的高温（たとえば６０℃）の給湯温度を設定し、一方、浴室リモコンでは、シャワーに適した温度（たとえば４１℃）の給湯温度を設定するというように使用される。
【０００３】
浴室リモコンで設定した４１℃の湯でシャワーを浴びているときに、台所リモコンの設定温度の湯に切り替わっては、火傷するおそれがある。そこで、複数のリモコンを使用する給湯システムでは、いずれのリモコンの設定温度を優先するかという優先権という手法が採用されている。特許文献１では浴室リモコンに人感センサーを設けて、浴室に人が居るあいだは、浴室リモコンに優先権を与え続けることで、浴室リモコンの設定温度を優先し、浴室に人が居なくなったら台所リモコンに優先権を移すことで台所リモコンの設定温度に切り替えるようにしている。
【先行技術文献】
【特許文献】
【０００４】
【特許文献１】特開平３−２５１６４７号公報
【発明の概要】
【発明が解決しようとする課題】
【０００５】
また近時は、さらなる利便性を図るべく、洗面室に第３のリモコン（増設リモコン）も使用する給湯システムがある。この第３のリモコンは、洗面室で洗顔や手洗いなどをするユーザーが、所望の湯温を得るために使用される。この第３のリモコンが無ければ、洗顔や手洗い時にも、台所リモコンで設定されている比較的高温（たとえば６０℃）の湯が供給されてしまう。このことは、延いてはエネルギーの浪費につながる。つまり、第３のリモコンは、ユーザーにとって利便性が向上するだけでなく、省エネルギーにも貢献するのである。
【０００６】
しかしながら、このような第３のリモコンを増設するには、コストがかかる。そこで、依然として、第３のリモコンが設置されないことが多い。
【０００７】
本件発明者は、洗面室での湯の使用シーンを調査し、以下の知見を得た。
【０００８】
すなわち、風呂から出た人は、洗面室で、男性であればヘアトニック・ヘアジェル・ヘアリキッドといった整髪剤を付けて髪を整え、また女性であれば化粧水・美容液・乳液・ナイトクリームといった基礎化粧品を付けて肌を整えることが多い。そして、いずれにしても、その後、手を洗う。
【０００９】
本件発明者は、このようなシーンに着目し、第３のリモコンを増設することなく、省エネルギー性能に優れた給湯システムを完成するに至った。
【００１０】
本発明は、このような従来の問題点に着目してなされた。本発明の目的は、無駄にエネルギーを消費することを防止して省エネルギー性能に優れる給湯システム、給湯システムの制御方法及び給湯器を提供することである。
【課題を解決するための手段】
【００１１】
本発明は以下のような解決手段によって前記課題を解決する。なお、理解を容易にするために本発明の実施形態に対応する符号を付するが、これに限定されるものではない。また符号を付して説明した構成は適宜代替しても改良してもよい。
【００１２】
第１の発明は、複数のリモコン（５０，６０）を使用し、優先権が設定されているリモコンに設定されている給湯温度を、住居へ湯を供給する給湯器（１０）の給湯温度とする給湯システムであって、浴室に人が居るか否かを検出する人感センサー（５７）と、前記浴室に設置されて給湯温度が設定されるとともに、前記人感センサーが人を検出する場合に優先権が設定される浴室リモコン（５０）と、台所に設置されて給湯温度が設定されるとともに、前記人感センサーが人を検出しない場合に優先権が設定可能になる台所リモコン（６０）と、前記浴室リモコン及び前記台所リモコンのうち、優先権が設定されているリモコンに設定されている給湯温度を、前記給湯器の給湯温度として決定する給湯温度決定部（Ｓ２０，Ｓ４０，Ｓ６０，Ｓ８０，Ｓ９０）と、を有し、前記給湯温度決定部は、前記浴室リモコンに優先権が設定されている場合であって前記人感センサーが人を検出しないときには、優先権を前記浴室リモコンに維持した状態で前記給湯器の給湯温度を前記浴室リモコンに設定された温度よりも低い所定温度に変更する、給湯システムである。
【００１３】
第２の発明は、第１の発明において、前記所定温度は、給湯設定可能な最低温度である給湯システムである。
【００１４】
第３の発明は、第１又は第２の発明において、前記給湯温度決定部は、前記給湯器の給湯温度を前記所定温度に変更するとともに、前記給湯器の最大出湯可能流量も変更する給湯システムである。
【００１５】
第４の発明は、第１から第３までのいずれかひとつの発明において、前記浴室リモコン又は前記台所リモコンの自動ボタンがオン状態の場合に、湯張りし、その後、保温・保水位処理を実行する自動処理部（Ｓ１１０）を有し、前記自動処理部は、前記人感センサーが人を検出しない場合に、保温・保水位処理を休止する給湯システムである。
【００１６】
第５の発明は、住居へ湯を供給する給湯器（１０）と、浴室に人が居るか否かを検出する人感センサー（５７）と、前記浴室に設置されて給湯温度が設定されるとともに、前記人感センサーが人を検出する場合に優先権が設定される浴室リモコン（５０）と、台所に設置されて給湯温度が設定されるとともに、前記人感センサーが人を検出しない場合に優先権が設定可能になる台所リモコン（６０）と、を有し、前記浴室リモコン及び前記台所リモコンのうち、優先権が設定されているリモコンに設定されている給湯温度を、前記給湯器の給湯温度とする給湯システムの制御方法であって、前記浴室リモコン及び前記台所リモコンのうち、優先権が設定されているリモコンに設定されている給湯温度を、前記給湯器の給湯温度として決定するとともに、前記浴室リモコンに優先権が設定されている場合であって前記人感センサーが人を検出しないときには、優先権を前記浴室リモコンに維持した状態で前記給湯器の給湯温度を前記浴室リモコンに設定された温度よりも低い所定温度に変更する給湯温度決定工程（Ｓ２０，Ｓ４０，Ｓ６０，Ｓ８０，Ｓ９０）をさらに有する、給湯システムの制御方法である。
【００１７】
第６の発明は、浴室に人が居るか否かを検出する人感センサー（５７）と、前記浴室に設置されて給湯温度が設定されるとともに、前記人感センサーが人を検出する場合に優先権が設定される浴室リモコン（５０）と、台所に設置されて給湯温度が設定されるとともに、前記人感センサーが人を検出しない場合に優先権が設定可能になる台所リモコン（６０）と、を有し、前記浴室リモコン及び前記台所リモコンのうち、優先権が設定されているリモコンに設定されている給湯温度を、前記給湯器の給湯温度とする給湯システムに用いられる給湯器であって、前記浴室リモコン及び前記台所リモコンのうち、優先権が設定されているリモコンに設定されている給湯温度を決定給湯温度として運転するとともに、前記浴室リモコンに優先権が設定されている場合であって前記人感センサーが人を検出しないときには、優先権を前記浴室リモコンに維持した状態で前記浴室リモコンに設定された温度よりも低い所定温度を決定給湯温度として運転する、給湯器である。
【発明の効果】
【００１８】
この態様によれば、浴室リモコンに優先権が設定されている場合であって人感センサーが人を検出しないときには、給湯器の給湯温度を浴室リモコンに設定された温度よりも低い所定温度に変更するので、無駄に湯を沸かしてしまう事態を防止でき、優れた省エネルギー性能を呈する。
【図面の簡単な説明】
【００１９】
【図１】図１は、給湯システムの概略について説明する図である。
【図２】図２は、給湯システムに用いられるリモコンを示す図である。
【図３】図３は、コントローラー４０が実行するメイン処理のフローチャートである。
【図４】図４は、コントローラー４０が実行する台所運転ボタン処理サブルーチンのフローチャートである。
【図５】図５は、コントローラー４０が実行する浴室運転ボタン処理サブルーチンのフローチャートである。
【図６】図６は、コントローラー４０が実行する浴室優先ボタン処理サブルーチンのフローチャートである。
【図７】図７は、コントローラー４０が実行する人感センサー検知処理サブルーチンのフローチャートである。
【図８】図８は、コントローラー４０が実行する人感センサー不検知処理サブルーチンのフローチャートである。
【図９】図９は、コントローラー４０が実行する、第２実施形態としての台所運転ボタン処理サブルーチンのフローチャートである。
【図１０】図１０は、コントローラー４０が実行するメイン処理のフローチャートである。
【図１１】図１１は、コントローラー４０が実行する自動ボタン処理サブルーチンのフローチャートである。
【図１２】図１２は、コントローラー４０が実行する保温・保水位モード処理サブルーチンのフローチャートである。
【発明を実施するための形態】
【００２０】
以下、添付図面を参照しながら本発明の実施形態について説明する。
【００２１】
＜第１実施形態＞
最初に、実施形態の理解が容易になるように、給湯システムの基本構成について説明する。
【００２２】
図１は、給湯システムの概略について説明する図である。
【００２３】
給湯システム１は、給湯器１０と、給水管路２０と、給湯管路３０とを含む。
【００２４】
給湯器１０は、屋外に設置される。集合住宅であれば、玄関脇のパイプシャフト・メーターボックスやベランダなどに設置されることが多い。給湯器１０は、１分間に１リットルの水を２５℃上昇させる能力に応じた号数で呼ばれる。入水温度１５℃の場合に出湯温度４０℃（上昇温度差２５℃）に上げるときに出湯可能な最大流量が毎分１６リットル（１６リットル／ｍｉｎ）の機器は「１６号給湯器」と呼ばれる。２５ｄｅｇｕｐ２４リットル／ｍｉｎの機器は「２４号給湯器」，２５ｄｅｇｕｐ１０リットル／ｍｉｎの機器は「１０号給湯器」と呼ばれる。
【００２５】
「２４号給湯器」使用時、入水温度１５℃のときにリモコン設定温度を４０℃とすると、出湯温度４０℃の湯を２４リットル／ｍｉｎ（＝２５×２４÷（４０−１５））出湯する。したがって、浴槽（例えば２４０リットル）に湯張りをする場合には、約１０分（＝２４０÷２４）で入浴可能となる。
【００２６】
これに対して、リモコン設定温度を６０℃とすると、出湯温度６０℃の湯を１３．３リットル／ｍｉｎ（＝２５×２４÷（６０−１５））出湯する。すなわち、蛇口を最大開度にして２４リットル／ｍｉｎの湯が出る場合（蛇口の能力、給水圧力等の条件がそろっている場合）に、リモコン設定温度を４０℃として蛇口開度を全開にすると２４リットル／ｍｉｎで出湯するが、リモコン設定温度を６０℃として蛇口開度を全開時に２４リットル／ｍｉｎで出湯すると４０℃の湯にしかならない。そこで、給湯器１０には、内部に「流量制御弁」が組み込まれており、最大出湯量を、リモコン設定温度に応じて制限するようになっている。
【００２７】
続いて、給水管路２０及び給湯管路３０について説明する。図１の給湯システム１は、さや管ヘッダータイプと呼ばれるものであり、給水管路２０は、給水元さや管２１と、給水ヘッダー２２と、給水枝さや管２３とを含む。また給湯管路３０は、給湯元さや管３１と、給湯ヘッダー３２と、給湯枝さや管３３とを含む。
【００２８】
給水元さや管２１は、水道メーター２１ａに接続され、途中で分岐して、給湯器１０及び給水ヘッダー２２に接続される。給水ヘッダー２２は、給水元さや管２１を介して供給された水を、たとえば図１であれば、５本の給水枝さや管２３に分岐する。各給水枝さや管２３は、台所・浴室・洗面室・洗濯機・トイレの蛇口などに接続される。このような構造であるので、水道メーター２１ａを流れた水が、給湯器・台所・浴室・洗面室・洗濯機・トイレに供給される。
【００２９】
給湯元さや管３１は、給湯器１０及び給湯ヘッダー３２に接続される。給湯ヘッダー３２は、給湯元さや管３１を介して供給された湯を、たとえば図１であれば、３本の給湯枝さや管３３に分岐する。各給湯枝さや管３３は、台所・浴室・洗面室の蛇口などに接続される。このような構造であるので、給湯器１０で加熱された湯が、台所・浴室・洗面室に供給される。
【００３０】
ヘッダーを用いて枝さや管を分岐するさや管ヘッダータイプに対して、１本の配管から、台所の近くで台所用の枝さや管を分岐し、浴室の近くで浴室用の枝さや管を分岐するという先分岐タイプという旧来の工法もある。先分岐タイプでは、枝さや管の分岐箇所が分散しているが、さや管ヘッダータイプでは、枝さや管の分岐箇所が集中している。漏水は、さや管の接続箇所で生じる。さや管ヘッダータイプであれば、漏水の可能性がある箇所が集中しているので、この接続箇所に漏水検知器を設けておくことで、漏水を容易に発見できるというメリットがある。また、ヘッダー（枝さや管の接続箇所）を直接目視するための点検口を設けやすい。
【００３１】
さや管ヘッダータイプには、給水ヘッダー２２及び給湯ヘッダー３２を配置する場所によって２つのタイプがある。１つは、元ヘッダー方式と呼ばれるタイプであり、もう１つは、先ヘッダー方式と呼ばれるタイプである。
【００３２】
元ヘッダー方式というのは、給水ヘッダー２２及び給湯ヘッダー３２を給湯器１０の近くに配置するタイプである。これに対して、先ヘッダー方式というのは、給水ヘッダー２２及び給湯ヘッダー３２を給湯器１０から離して、屋内の水回り付近に配置するタイプである。さや管を床板の下に配索する床転がし配管工法であれば、給水ヘッダー２２及び給湯ヘッダー３２をたとえば洗面化粧台の床板の下に配置する。一方、さや管を天井に配索する天井配管工法であれば、給水ヘッダー２２及び給湯ヘッダー３２をたとえばユニットバスの天井裏に配置する。給水ヘッダー２２及び給湯ヘッダー３２を洗面化粧台の床板の下に配置した場合は、洗面化粧台の床板を外すことで、漏水の有無を容易に確認できる。
【００３３】
ここで、給湯元さや管３１及び給湯枝さや管３３の具体的なサイズについて補足しておく。
【００３４】
給湯元さや管３１は、太めである。たとえば１６Ａと呼ばれるパイプを使用する。このパイプのサイズは、外径２１．５ｍｍ×内径１６．２ｍｍである。上述の通り、給湯元さや管３１は、屋外に設置された給湯器１０から洗面化粧台の床下の給湯ヘッダー３２まで延びる。給湯器１０がフロアから１．５ｍくらいの高さに設置されることを考慮すると、給湯元さや管３１の長さは、住居の広さやレイアウトにもよるが、数ｍ〜十数ｍになる。
【００３５】
給湯枝さや管３３は、細めである。たとえば１３Ａと呼ばれるパイプを使用する。このパイプのサイズは、外径１７ｍｍ×内径１２．８ｍｍである。上述の通り、給湯元さや管３１は、洗面化粧台の床下の給湯ヘッダー３２から台所・浴室・洗面室の蛇口まで延びる。給湯元さや管３１の長さについても、住居の広さやレイアウトにもよるが、数ｍ程度になる。
【００３６】
また給湯システム１には、給湯器１０の運転を制御するコントローラー４０と、浴室に設置される浴室リモコン５０と、台所に設置される台所リモコン６０とを含む。浴室リモコン５０及び台所リモコン６０は、操作者によって操作されて、信号をコントローラー４０に送る。この信号に基づいて、コントローラー４０は、給湯器１０の運転を制御する。なおコントローラー４０は、給湯器１０に内蔵されていたり一体化されていても、別体化されていてもよい。浴室リモコン５０及び台所リモコン６０の詳細については、図２を参照して説明する。
【００３７】
図２は、給湯システムに用いられるリモコンを示す図である。図２（Ａ）は浴室リモコン、図２（Ｂ）は台所リモコンである。また、図２（Ｃ）に増設リモコンを示す。
【００３８】
浴室リモコン５０には、運転ボタン５１、自動ボタン５２、おいだきボタン５３、呼び出しボタン５４、優先切替ボタン５５が設けられている。また、スピーカー５６も設けられている。さらに人感センサー５７も設けられている。ディスプレー５８には、給湯器１０の設定温度（図面では４１℃）、湯張り温度（図面では４１℃）、現在の時刻（図面ではＰＭ７：００）などが表示される。なお、この図２（Ａ）では、浴室リモコン５０に優先権がある状態が示されており、給湯器１０の設定温度が４１℃と表示されている。また、図示は省略されるが、カバー５９を開けると、給湯温度の調整ボタンなどが設けられている。
【００３９】
台所リモコン６０には、運転ボタン６１、自動ボタン６２、おいだきボタン６３が設けられている。また、スピーカー６６も設けられている。ディスプレー６８には、給湯器１０の設定温度（図面では６０℃）、現在の時刻（図面ではＰＭ７：００）などが表示される。なお、この図２（Ｂ）では、台所リモコン６０に優先権がある状態が示されており、給湯器１０の設定温度が６０℃と表示されている。また、図示は省略されるが、カバー６９を開けると、給湯温度調整ボタンなどが設けられている。
【００４０】
また、参考までに増設リモコンについても説明する。増設リモコン７０には、運転ボタン７１、給湯温度調整ボタン７１１が設けられている。ディスプレー７８には、給湯器１０の設定温度（図面では４１℃）などが表示される。この増設リモコン７０で給湯器１０の設定温度を変更するには、運転ボタン７１を押して一旦運転を停止し、再度運転ボタン７１を押して運転を再開する。このようにすることで、増設リモコン７０に優先権が設定され、給湯温度調整ボタン７１１のアップボタン／ダウンボタンによって、設定温度を変更することができる。
【００４１】
上述したように、洗面室の増設リモコンは、洗面室で洗顔や手洗いなどをする人が、所望の湯温を得るために使用する。この増設リモコンが無ければ、洗顔や手洗い時にも、台所リモコンで設定されている比較的高温（たとえば６０℃）の湯が供給されてしまう。増設リモコンで湯温を調整すれば、このような事態を防止できるが、コストがかかる。そこで、依然として、増設リモコンが設置されないことが多い。
【００４２】
本件発明者は、洗面室での湯の使用シーンを調査したところ、風呂上がりに洗面室で手洗いする人が多いということが分かった。
【００４３】
そこで、浴室から人が出たことを人感センサー５７で検出したら、給湯器１０の設定温度を低めの温度（最適なのは、設定可能な最低温度）に自動的に変更することで、ユーザーの利便性を損なうことなく、優れた省エネルギー性能を呈する給湯システムを完成するに至ったのである。
【００４４】
以下では、フローチャートを参照して、コントローラー４０が実行する制御の具体的な内容について説明する。
【００４５】
図３は、コントローラー４０が実行するメイン処理のフローチャートである。この処理は、微小時間(たとえば１０ミリ秒)サイクルで繰り返し実行される。
【００４６】
ステップＳ１０においてコントローラー４０は、台所リモコン６０の運転ボタン６１が押されたか否かを判定する。コントローラー４０は、判定結果が肯であればステップＳ２０へ処理を移行し、判定結果が否であればステップＳ３０へ処理を移行する。
【００４７】
ステップＳ２０においてコントローラーは、台所運転ボタン処理を実行する。具体的な内容は、図４を参照して後述する。
【００４８】
ステップＳ３０においてコントローラー４０は、浴室リモコン５０の運転ボタン５１が押されたか否かを判定する。コントローラー４０は、判定結果が肯であればステップＳ４０へ処理を移行し、判定結果が否であればステップＳ５０へ処理を移行する。
【００４９】
ステップＳ４０においてコントローラーは、浴室運転ボタン処理を実行する。具体的な内容は、図５を参照して後述する。
【００５０】
ステップＳ５０においてコントローラー４０は、浴室リモコン５０の優先切替ボタン５５が押されたか否かを判定する。コントローラー４０は、判定結果が肯であればステップＳ６０へ処理を移行し、判定結果が否であればステップＳ７０へ処理を移行する。
【００５１】
ステップＳ６０においてコントローラーは、浴室優先ボタン処理を実行する。具体的な内容は、図６を参照して後述する。
【００５２】
ステップＳ７０においてコントローラー４０は、浴室リモコン５０の人感センサー５７が人を検知しているか否かを判定する。コントローラー４０は、判定結果が肯であればステップＳ８０へ処理を移行し、判定結果が否であればステップＳ９０へ処理を移行する。
【００５３】
ステップＳ８０においてコントローラーは、人感センサー検知処理を実行する。具体的な内容は、図７を参照して後述する。
【００５４】
ステップＳ９０においてコントローラーは、人感センサー不検知処理を実行する。具体的な内容は、図８を参照して後述する。
【００５５】
図４は、コントローラー４０が実行する台所運転ボタン処理サブルーチンのフローチャートである。
【００５６】
この処理は、上述の通り、台所リモコン６０の運転ボタン６１が押されたら、実行される。
【００５７】
ステップＳ２１においてコントローラー４０は、現在運転中であるか否かを判定する。コントローラー４０は、判定結果が否であればステップＳ２２へ処理を移行し、判定結果が肯であればステップＳ２３へ処理を移行する。
【００５８】
ステップＳ２２においてコントローラーは、台所リモコン６０に優先権を設定して運転を開始する。このとき決定給湯温度は、台所リモコン６０の給湯設定温度になる。
【００５９】
ステップＳ２３においてコントローラーは、運転を停止する。
【００６０】
図５は、コントローラー４０が実行する浴室運転ボタン処理サブルーチンのフローチャートである。
【００６１】
この処理は、上述の通り、浴室リモコン５０の運転ボタン５１が押されたら、実行される。
【００６２】
ステップＳ４１においてコントローラー４０は、現在運転中であるか否かを判定する。コントローラー４０は、判定結果が否であればステップＳ４２へ処理を移行し、判定結果が肯であればステップＳ４３へ処理を移行する。
【００６３】
ステップＳ４２においてコントローラーは、浴室リモコン５０に優先権を設定して運転を開始する。このとき決定給湯温度は、浴室リモコン５０の給湯設定温度になる。
【００６４】
ステップＳ４３においてコントローラーは、運転を停止する。
【００６５】
図６は、コントローラー４０が実行する浴室優先ボタン処理サブルーチンのフローチャートである。
【００６６】
この処理は、上述の通り、浴室リモコン５０の優先切替ボタン５５が押されたら、実行される。
【００６７】
ステップＳ６１においてコントローラー４０は、優先権が浴室リモコン５０にあるか否かを判定する。コントローラー４０は、判定結果が肯であればステップＳ６２へ処理を移行し、判定結果が否であればステップＳ６３へ処理を移行する。
【００６８】
ステップＳ６２においてコントローラーは、優先権を台所リモコン６０に変更する。これによって決定給湯温度は、台所リモコン６０の給湯設定温度になる。
【００６９】
ステップＳ６３においてコントローラーは、優先権を浴室リモコン５０に変更する。これによって決定給湯温度は、浴室リモコン５０の給湯設定温度になる。
【００７０】
図７は、コントローラー４０が実行する人感センサー検知処理サブルーチンのフローチャートである。
【００７１】
この処理は、上述の通り、浴室リモコン５０の人感センサー５７が人を検知しているときに、実行される。
【００７２】
ステップＳ８１においてコントローラー４０は、優先権が台所リモコン６０にあるか否かを判定する。コントローラー４０は、判定結果が肯であればステップＳ８２へ処理を移行し、判定結果が否であれば一旦処理を抜ける。
【００７３】
ステップＳ８２においてコントローラー４０は、台所リモコン６０にある優先権がステップＳ６２の処理で台所リモコン６０に変更されたものであるか否かを判定する。コントローラー４０は、判定結果が否であればステップＳ８３へ処理を移行し、判定結果が肯であれば一旦処理を抜ける。
【００７４】
ステップＳ８３においてコントローラーは、優先権を浴室リモコン５０に変更する。これによって決定給湯温度は、浴室リモコン５０の給湯設定温度になる。
【００７５】
図８は、コントローラー４０が実行する人感センサー不検知処理サブルーチンのフローチャートである。
【００７６】
この処理は、上述の通り、浴室リモコン５０の人感センサー５７が人を検知しないときに、実行される。
【００７７】
ステップＳ９１においてコントローラー４０は、優先権が浴室リモコン５０にあるか否かを判定する。コントローラー４０は、判定結果が肯であればステップＳ９２へ処理を移行し、判定結果が否であればステップＳ９３へ処理を移行する。
【００７８】
ステップＳ９２においてコントローラーは、決定給湯温度を、給湯設定可能な最低温度（たとえば、３２℃）に変更する。
【００７９】
ステップＳ９３においてコントローラー４０は、台所リモコン６０にある優先権がステップＳ６２の処理で台所リモコン６０に変更されたものであるか否かを判定する。コントローラー４０は、判定結果が肯であればステップＳ９４へ処理を移行し、判定結果が否であれば一旦処理を抜ける。
【００８０】
ステップＳ９４においてコントローラーは、台所リモコン６０に優先権を設定する。これによって決定給湯温度は、台所リモコン６０の給湯設定温度になる。
【００８１】
次に、各シーンに沿って、コントローラー４０の処理を説明する。なお以下では、上述のフローチャートとの対応が分かりやすくなるように、フローチャートのステップ番号を適宜記載する。
【００８２】
（運転停止中に、台所リモコン６０の運転ボタン６１が押された場合）
運転停止状態で、台所リモコン６０の運転ボタン６１が押されたら、コントローラー４０は、ＳＴＡＲＴ→Ｓ１０→Ｓ２０→Ｓ２１→Ｓ２２→Ｓ３０→Ｓ５０→Ｓ７０→Ｓ９０→Ｓ９１→Ｓ９３→ＥＮＤと処理して、台所リモコン６０に優先権を設定して、台所リモコン６０の設定温度で給湯器１０を運転を開始する。これによって決定給湯温度は、台所リモコン６０の給湯設定温度になる。
【００８３】
（続いて人が入浴する場合）
人が浴室に入ると、その人を人感センサー５７が検知して、コントローラー４０は、ＳＴＡＲＴ→Ｓ１０→Ｓ３０→Ｓ５０→Ｓ７０→Ｓ８０→Ｓ８１→Ｓ８２→Ｓ８３→ＥＮＤと処理して、優先権を浴室リモコン５０に変更して、浴室リモコン５０の設定温度で給湯器１０を運転する。これによって決定給湯温度は、浴室リモコン５０の給湯設定温度になる。
【００８４】
（続いて人が風呂から上がって浴室から出た場合）
人が浴室から出ると、人感センサー５７は不検知状態になり、コントローラー４０は、ＳＴＡＲＴ→Ｓ１０→Ｓ３０→Ｓ５０→Ｓ７０→Ｓ９０→Ｓ９１→Ｓ９２→ＥＮＤと処理して、決定給湯温度を、給湯設定可能な最低温度（たとえば、３２℃）に変更して給湯器１０を運転する。決定給湯温度が変更されたので、浴室リモコン５０のディスプレー５８や、台所リモコン６０のディスプレー６８が、その温度（たとえば、３２℃）を表示することとなり、台所にいる人がこの表示を見ることで、風呂から人が出たことを認識できる。
【００８５】
なお、給湯器１０の決定給湯温度が、最低温度に変更されても、給湯元さや管３１には、浴室に供給していた４１℃の湯が残っている。上述の通り、給湯元さや管３１は、給湯器１０及び給湯ヘッダー３２に接続され、給湯ヘッダー３２は、洗面化粧台の床下に配置されることが多い。すなわち、この場合は、洗面化粧台のすぐ下まで、４１℃の湯が充満しているのである。そのため、この４１℃の湯がしばらく蛇口から流れる。上述のように、給湯元さや管３１は、内径１６．２ｍｍであるので、１ｍあたり２０６ｃｃの湯が残っている。給湯元さや管３１の長さを仮に８ｍとすると、１．６リットルの湯量である。毎分５リットルで使用しても、２０秒程度流れる。毎分５リットルというのは、チョロチョロとした流量ではなく、食器を洗うときの流量である。風呂から出た人が、単に、整髪剤や化粧品が付いた手を洗うには、湯が跳ねるほどの強い流量である。最近の節水タイプの蛇口（水栓）であれば、毎分３〜４リットルであるから、もっと長時間使える。いずれにせよ、手に付いた整髪剤や化粧品を落とすには、十分である。したがって、人が風呂から上がって、人感センサー５７が不検知状態になったシーンで、給湯器１０の給湯温度を最低温度に変更しても、風呂上がりのユーザーの利便性を損なわない。またこのようにしなければ、給湯器１０が６０℃の湯を沸かしてしまい、いわば４１℃の湯を押し出すために、６０℃の湯を使うことになり、無駄に湯を沸かしてしまうことになってしまうが、本実施形態によれば、そのような事態を防止できるので、優れた省エネルギー性能を呈するのである。
【００８６】
（続いて台所で湯を使う場合）
この場合は、給湯器１０の給湯温度を高くするために、優先権を台所リモコン６０に移したい。この場合、ユーザーは、台所リモコン６０の運転ボタン６１を押す。すると、コントローラー４０は、ＳＴＡＲＴ→Ｓ１０→Ｓ２０→Ｓ２１→Ｓ２３→Ｓ３０→Ｓ５０→Ｓ７０→Ｓ９０→Ｓ９１→Ｓ９２→ＥＮＤと処理して、運転を停止する。続いて、ユーザーが、再び、台所リモコン６０の運転ボタン６１を押すと、コントローラー４０は、ＳＴＡＲＴ→Ｓ１０→Ｓ２０→Ｓ２１→Ｓ２２→Ｓ３０→Ｓ５０→Ｓ７０→Ｓ９０→Ｓ９１→Ｓ９３→ＥＮＤと処理して、台所リモコン６０に優先権を設定して、台所リモコン６０の設定温度で給湯器１０を運転を開始する。このようにして、ユーザーは、優先権を台所リモコン６０に移すことができ、決定給湯温度は、台所リモコン６０の給湯設定温度になる。
【００８７】
なお、ユーザーが浴室に行って、浴室リモコン５０の優先切替ボタン５５を押してもよい。この場合、コントローラー４０は、ＳＴＡＲＴ→Ｓ１０→Ｓ３０→Ｓ５０→Ｓ６０→Ｓ６１→Ｓ６２→Ｓ７０→Ｓ８０→Ｓ８１→Ｓ８２→ＥＮＤと処理して、優先権を台所リモコン６０に変更する。このようにしても、ユーザーは、優先権を台所リモコン６０に移すことができ、決定給湯温度は、台所リモコン６０の給湯設定温度になる。ユーザーが再び浴室リモコン５０の優先切替ボタン５５を押せば、コントローラー４０は、ＳＴＡＲＴ→Ｓ１０→Ｓ３０→Ｓ５０→Ｓ６０→Ｓ６１→Ｓ６３→Ｓ７０→Ｓ８０→Ｓ８１→ＥＮＤと処理して、優先権を浴室リモコン５０に変更する。
【００８８】
（浴室に人が居るにもかかわらず、優先権を台所リモコンに移そうとした場合）
浴室に人が居るにもかかわらず、優先権を台所リモコンに移そうとして、ユーザーが台所リモコン６０の運転ボタン６１を押した場合には、以下のように処理される。まず、コントローラー４０は、ＳＴＡＲＴ→Ｓ１０→Ｓ２０→Ｓ２１→Ｓ２３→Ｓ３０→Ｓ５０→Ｓ７０→Ｓ８０→Ｓ８１→ＥＮＤと処理して、運転を停止する。続いて、ユーザーが、再び、台所リモコン６０の運転ボタン６１を押すと、コントローラー４０は、ＳＴＡＲＴ→Ｓ１０→Ｓ２０→Ｓ２１→Ｓ２２→Ｓ３０→Ｓ５０→Ｓ７０→Ｓ８０→Ｓ８１→Ｓ８２→Ｓ８３→ＥＮＤと処理して、優先権を、一瞬、台所リモコン６０に設定するが、すぐに優先権を浴室リモコン５０に移動させるので、浴室に人が居るときに、シャワーから高温の湯が出てしまうことを防止できる。
【００８９】
（人が風呂掃除などのために浴室に入った場合）
この場合でも、コントローラー４０は、ＳＴＡＲＴ→Ｓ１０→Ｓ３０→Ｓ５０→Ｓ７０→Ｓ８０→Ｓ８１→Ｓ８２→Ｓ８３→ＥＮＤと処理して、優先権を浴室リモコン５０に変更する。台所で湯を使う場合には、給湯器１０の設定温度を高くするために、優先権を台所リモコン６０に移したい。そこで、浴室のユーザーは、浴室リモコン５０の優先切替ボタン５５を押す。すると、コントローラー４０は、ＳＴＡＲＴ→Ｓ１０→Ｓ３０→Ｓ５０→Ｓ６０→Ｓ６１→Ｓ６２→Ｓ７０→Ｓ８０→Ｓ８１→Ｓ８２→ＥＮＤと処理するので、優先権は、浴室リモコン５０に移ることなく、台所リモコン６０に残るので、決定給湯温度は、台所リモコン６０の給湯設定温度になり、給湯器１０の設定温度を高くすることができる。
【００９０】
優先権が浴室リモコン５０に移らないロック状態を解除するには、浴室のユーザーが、再び、浴室リモコン５０の優先切替ボタン５５を押す。すると、コントローラー４０は、ＳＴＡＲＴ→Ｓ１０→Ｓ３０→Ｓ５０→Ｓ６０→Ｓ６１→Ｓ６３→Ｓ７０→Ｓ８０→Ｓ８１→ＥＮＤと処理するので、優先権は、浴室リモコン５０に変更される。このようにして、優先権が浴室リモコン５０に移らないロック状態を解除できる。
【００９１】
あるいは、単に、浴室から出れば、人感センサー５７は不検知状態になり、コントローラー４０は、ＳＴＡＲＴ→Ｓ１０→Ｓ３０→Ｓ５０→Ｓ７０→Ｓ９０→Ｓ９１→Ｓ９３→Ｓ９４→ＥＮＤと処理して、優先権を台所リモコン６０に設定し直す。そして、次サイクル以降、人が浴室に入った場合には、コントローラー４０は、ＳＴＡＲＴ→Ｓ１０→Ｓ３０→Ｓ５０→Ｓ７０→Ｓ８０→Ｓ８１→Ｓ８２→Ｓ８３→ＥＮＤと処理するので、優先権は、浴室リモコン５０に変更される。このようにしても、優先権が浴室リモコン５０に移らないロック状態を解除できる。
【００９２】
（運転停止中に、浴室リモコン５０の運転ボタン５１が押された場合）
運転停止中に、浴室リモコン５０の運転ボタン５１が押されたら、コントローラー４０は、ＳＴＡＲＴ→Ｓ１０→Ｓ３０→Ｓ４０→Ｓ４１→Ｓ４２→Ｓ５０→Ｓ７０→Ｓ８０→Ｓ８１→ＥＮＤと処理して、浴室リモコン５０に優先権を設定して運転を開始する。これによって、決定給湯温度は、浴室リモコン５０の給湯設定温度になる。
【００９３】
（運転中に、浴室リモコン５０の運転ボタン５１が押された場合）
運転中に、浴室リモコン５０の運転ボタン５１が押されたら、コントローラー４０は、ＳＴＡＲＴ→Ｓ１０→Ｓ３０→Ｓ４０→Ｓ４１→Ｓ４３→Ｓ５０→Ｓ７０→Ｓ８０→Ｓ８１→ＥＮＤと処理して、運転を停止する。
【００９４】
以上のように、コントローラー４０は制御を実行する。
【００９５】
以上説明した本実施形態によれば、風呂上がりに洗面室で、整髪剤や化粧品を付けた人が、手を洗うときには、給湯器１０の設定温度が、低めの温度（最適なのは、設定可能な最低温度）に自動的に変更される。上述したように、給湯器１０の設定温度が、変更されても、給湯元さや管３１には、浴室に供給していた４１℃の湯が残っている。上述の通り、給湯元さや管３１は、給湯器１０及び給湯ヘッダー３２に接続され、給湯ヘッダー３２は、洗面化粧台の床下に配置されることが多い。すなわち、この場合は、洗面化粧台のすぐ下まで、４１℃の湯が充満しているのである。そのため、この４１℃の湯がしばらく蛇口から流れる。給湯元さや管３１は、内径１６．２ｍｍであるので、１ｍあたり２０６ｃｃの湯が残っている。給湯元さや管３１の長さを仮に８ｍとすると、１．６リットルの湯量である。毎分５リットルで使用しても、２０秒程度流れる。毎分５リットルというのは、チョロチョロとした流量ではなく、食器を洗うときの流量である。風呂上がりの人が、単に、整髪剤や化粧品が付いた手を洗うには、湯が跳ねるほどの強い流量である。最近の節水タイプの蛇口（水栓）であれば、毎分３〜４リットルであるから、もっと長時間使える。いずれにせよ、手に付いた整髪剤や化粧品を落とすには、十分である。したがって、人が風呂から上がって、人感センサー５７が不検知状態になったシーンで、給湯器１０の給湯温度を最低温度に変更しても、風呂上がりのユーザーの利便性を損なうことがない。またこのようにしなければ、給湯器１０が６０℃の湯を沸かしてしまい、いわば４１℃の湯を押し出すために、６０℃の湯を使うことになり、無駄に湯を沸かしてしまうことになってしまうが、本実施形態によれば、そのような事態を防止できるので、優れた省エネルギー性能を呈するのである。特に、給湯器１０の給湯温度が、給湯設定可能な最低温度に変更されれば、省エネルギー効果が大きいが、最低温度でなくても、給湯温度を下げることでも、相応の効果が得られる。
【００９６】
このように、本発明の発明者は、風呂から上がったユーザーが、どのような給湯温度を望むのかという行動パターン分析に基づいて、増設リモコンを設置することなく、ユーザーの利便性を損なわない給湯システムを完成するに至ったのである。また、４１℃の湯を押し出すために、６０℃の湯を使うような、無駄に湯を沸かしてしまう事態を防止できるので、優れた省エネルギー性能を呈するのである。
【００９７】
住居の広さやレイアウトによっては、給湯元さや管３１の長さが短いことも考えられるが、その場合でも、手を洗うための石鹸を泡立てるには十分である。その後は、石鹸を洗い流すだけの温度だけ必要であり、低い温度の湯（３２℃の湯）が出てくるので、石鹸を洗い流すのに支障がない。
【００９８】
また、設定温度が変更されると、浴室リモコン５０のディスプレー５８や、台所リモコン６０のディスプレー６８に、その温度（たとえば、３２℃）が表示されるので、台所にいる人がこの表示を見ることで、風呂から人が出たことを認識でき、非常に便利である。
【００９９】
なお、優先権を獲得している側のリモコンは優先権を獲得している旨を表示する優先ランプが点灯するが、浴室リモコン５０に優先権が設定されている場合であって、人感センサーが人を検出しないときには、給湯器１０の給湯温度を浴室リモコン５０に設定された温度（例えば４１℃）よりも、低い所定温度（第３のリモコンに優先権が設定されている想定の例えば３２℃）に変更するので、浴室リモコン５０の優先ランプの点灯表示を温度変更と共に消灯させても良い。また浴室には人がいないので、運転ボタン５１のみ点灯させて残りの表示はすべて消灯させる省エネルギーモード（台所リモコン６０は通常モード）としても良い。換言すれば、浴室リモコン５０に優先権が設定されている場合であって、人感センサーが人を検出状態だったときも、検出しない状況に至っても、いずれの場合であっても台所リモコン６０の優先ランプが消灯状態を維持していれば良い。このようにすることで、さらなる省エネルギー効果を得ることができるのである。
【０１００】
またユーザーが風呂から上がって、人感センサー５７が不検知状態になったシーンで、給湯器１０の給湯温度を最低温度に変更するとともに、給湯器１０の内部に組み込まれている「流量制御弁」をコントロールして、最大出湯可能流量を制限してもよい。通常、流量制御弁は、特段制御されておらず全開状態（最大出湯可能流量がたとえば２４リットル／ｍｉｎ）になっていることが多い。またシステムによっては、シャワーのみ使用されている場合には無駄なエネルギー消費を防止すべく最大出湯可能流量をたとえば１２リットル／ｍｉｎとか７リットル／ｍｉｎに制限している。浴室リモコン５０に優先権が設定されている場合であって人感センサー５７が検知状態であるときは、流量制御弁によってこのような最大出湯可能流量になっている。ユーザーが風呂から上がって人感センサー５７が不検知状態になったシーンで、給湯温度を変更するとともに、さらに流量制御弁を制御して、最大出湯可能流量をたとえば３〜４リットル／ｍｉｎに制限すれば、洗面所で（整髪剤や化粧品が付いた手ではうまく開度操作ができずに）、不用意に蛇口を全開しても、湯量が強すぎて湯が跳ねる事態になることなく、整髪剤や化粧品が付いた手を洗うことができる。また流量が絞られているので、無用に湯を沸かすことを防止でき、この点においても高い省エネルギー効果を得ることができる。特にシングルレバータイプの水栓では、全開してしまうことが多いが、元の流量を絞っておけば、全開しても過剰な流量を回避でき、エネルギーの浪費を防止できるのである。この状態で、台所で出湯すると、給湯設定可能な最低温度（たとえば、３２℃）、かつ、最大出湯可能流量が制限された流量（たとえば３〜４リットル／ｍｉｎ）での使用となる。台所での使用にも、このような規制がかかるので、台所で湯を使用する場合であって流量や温度を変更したいときには（洗面所での湯使用と台所での湯使用が重なるときには）、洗面所で使用している風呂上がりの人と相談して、「優先権」を台所リモコンに移す操作（優先切換えボタン操作や運転ボタン５１操作等）を行なう。
【０１０１】
＜第２実施形態＞
第１実施形態では、運転中に、台所リモコン６０の運転ボタン６１が押されたら、一旦運転を停止し、再び、台所リモコン６０の運転ボタン６１が押されたら、優先権が台所リモコン６０に移される。しかしながら、このような方式に限らず、優先権を移動してもよい。そこで、この第２実施形態では、優先権を移動させる他の方法について説明する。
【０１０２】
図９は、コントローラー４０が実行する、第２実施形態としての台所運転ボタン処理サブルーチンのフローチャートである。
【０１０３】
この処理は、台所リモコン６０の運転ボタン６１が押されたら、実行される。
【０１０４】
ステップＳ２１においてコントローラー４０は、現在運転中であるか否かを判定する。コントローラー４０は、判定結果が否であればステップＳ２２へ処理を移行し、判定結果が肯であればステップＳ２２１へ処理を移行する。
【０１０５】
ステップＳ２２においてコントローラーは、台所リモコン６０に優先権を設定して運転を開始する。このとき決定給湯温度は、台所リモコン６０の給湯設定温度になる。
【０１０６】
ステップＳ２２１においてコントローラー４０は、優先権が浴室リモコン５０にあるか否かを判定する。コントローラー４０は、判定結果が肯であればステップＳ２２２へ処理を移行し、判定結果が否であればステップＳ２３へ処理を移行する。
【０１０７】
ステップＳ２２２においてコントローラー４０は、浴室リモコン５０の人感センサー５７が人を検知しているか否かを判定する。コントローラー４０は、判定結果が否であればステップＳ２２３へ処理を移行し、判定結果が肯であれば一旦処理を抜ける。
【０１０８】
ステップＳ２２３においてコントローラーは、優先権を台所リモコン６０に変更する。これによって決定給湯温度は、台所リモコン６０の給湯設定温度になる。
【０１０９】
次に、各シーンに沿って、コントローラー４０の処理を説明する。
【０１１０】
（人が風呂から上がって浴室から出た後、台所で湯を使う場合）
人が浴室に入ると、優先権が浴室リモコン５０になり、浴室リモコン５０の設定温度（たとえば４１℃）で給湯器１０が運転される。人が風呂から上がって浴室から出ると、優先権が浴室リモコン５０のまま、給湯温度が、設定可能な最低温度（たとえば３２℃）に変更される。
【０１１１】
その後、台所で湯を使う場合は、給湯器１０の給湯温度を高くするために、優先権を台所リモコン６０に移したい。この場合、ユーザーは、台所リモコン６０の運転ボタン６１を押す。すると、コントローラー４０は、ＳＴＡＲＴ→Ｓ１０→Ｓ２０→Ｓ２１→Ｓ２２１→Ｓ２２２→Ｓ２２３→Ｓ３０→Ｓ５０→Ｓ７０→Ｓ９０→Ｓ９１→Ｓ９３→ＥＮＤと処理して、優先権を台所リモコン６０に移す。このようにして、ユーザーは、優先権を台所リモコン６０に移すことができ、決定給湯温度は、台所リモコン６０の給湯設定温度になる。
【０１１２】
このように、本実施形態のように制御しても、人が風呂から上がって浴室から出た後、台所リモコン６０で、優先権を台所リモコン６０に移すことが可能になるのである。
【０１１３】
＜第３実施形態＞
本発明による給湯システム１には、上述のように、浴室に人が居るか否かを検出する人感センサー５７が設けられている。この人感センサー５７を利用することで、浴室リモコン５０の自動ボタン５２又は台所リモコン６０の自動ボタン６２が押されて湯張りした後の省エネルギーを図ることもできる。
【０１１４】
すなわち、従来は、自動ボタンが押されて湯張りして、適温の湯が適量供給された後は、保温・保水位モードに移行する。この保温・保水位モードでは、一定時間（たとえば３０分）ごとに湯温を検出し、基準温度を下回ったら追い焚きする。また浴槽の水位（湯量）を圧力センサーで検出し、基準水位を下回ったら注湯する。このような保温・保水位モードを所定時間（たとえば４時間程度）、継続する。
【０１１５】
風呂から最後に上がった人が、自動ボタンを押して自動モードを切れば問題ないが、忘れてしまうことが多い。この場合、本来は不要な保温・保水位モードを実行してしまい、エネルギーを無駄に消費してしまう。
【０１１６】
そこで、この実施形態では、人感センサー５７を利用して、人が浴室から居なくなったら、保温・保水位モードを休止し、人が再び浴室に入ったら、保温・保水位モードを再開するようにした。
【０１１７】
以下では、フローチャートを参照して、コントローラー４０が実行する制御の具体的な内容について説明する。
【０１１８】
図１０は、コントローラー４０が実行するメイン処理のフローチャートである。このフローチャートは、図３のフローチャートに対して、ステップＳ１００及びステップＳ１１０が追加されており、その他は基本的に図３のフローチャートと同じである。そこで、ステップＳ１００及びステップＳ１１０についてのみ説明する。
【０１１９】
ステップＳ１００においてコントローラー４０は、浴室リモコン５０の自動ボタン５２又は台所リモコン６０の自動ボタン６２がオンの状態であるか否かを判定する。なお浴室リモコン５０の自動ボタン５２及び台所リモコン６０の自動ボタン６２は、ユーザーに押されてオンになり、再度押されたり所定時間が経過するとオフになる。コントローラー４０は、判定結果が肯であればステップＳ１１０へ処理を移行し、判定結果が否であればステップＳ５０へ処理を移行する。
【０１２０】
ステップＳ１１０においてコントローラーは、自動ボタン処理を実行する。具体的な内容は、図１１を参照して後述する。
【０１２１】
図１１は、コントローラー４０が実行する自動ボタン処理サブルーチンのフローチャートである。
【０１２２】
この処理は、上述の通り、浴室リモコン５０の自動ボタン５２又は台所リモコン６０の自動ボタン６２が押されたら、実行される。
【０１２３】
ステップＳ１１１においてコントローラー４０は、湯張りが完了したか否かを判定する。コントローラー４０は、判定結果が否であればステップＳ１１２へ処理を移行し、判定結果が肯であればステップＳ１１３へ処理を移行する。
【０１２４】
ステップＳ１１２においてコントローラーは、湯張りを続ける。
【０１２５】
ステップＳ１１３においてコントローラー４０は、湯張りが完了してから所定時間（たとえば４時間程度）、経過したか否かを判定する。コントローラー４０は、判定結果が否であればステップＳ１１４へ処理を移行し、判定結果が肯であればステップＳ１１６へ処理を移行する。
【０１２６】
ステップＳ１１４においてコントローラー４０は、人感センサー５７が人を検知するか否かを判定する。コントローラー４０は、判定結果が肯であればステップＳ１１５へ処理を移行し、判定結果が否であれば一旦処理を抜ける。
【０１２７】
ステップＳ１１５においてコントローラーは、保温・保水位モード処理を実行する。具体的な内容は、図１２を参照して後述する。
【０１２８】
ステップＳ１１６においてコントローラーは、自動ボタンをオフする。
【０１２９】
図１２は、コントローラー４０が実行する保温・保水位モード処理サブルーチンのフローチャートである。
【０１３０】
この処理は、上述の通り、人感センサー５７が人を検知するときに実行されるが、人を検知しなければスキップされる。すなわち、保温・保水位モードが休止される。
【０１３１】
ステップＳ１１５１においてコントローラー４０は、湯張りが完了してから又は前回ステップＳ１１５２を処理してから、一定時間（たとえば３０分）が経過したか否かを判定する。コントローラー４０は、判定結果が肯であればステップＳ１１５２へ処理を移行し、判定結果が否であれば一旦処理を抜ける。
【０１３２】
ステップＳ１１５２においてコントローラー４０は、湯温を検出し、基準温度を下回ったか否かを判定する。コントローラー４０は、判定結果が肯であればステップＳ１１５３へ処理を移行し、判定結果が否であればステップＳ１１５４へ処理を移行する。
【０１３３】
ステップＳ１１５３においてコントローラーは、基準温度まで湯温が上昇するように追い焚きする。
【０１３４】
ステップＳ１１５４においてコントローラー４０は、浴槽の水位（湯量）を圧力センサーで検出し、基準水位を下回ったか否かを判定する。コントローラー４０は、判定結果が肯であればステップＳ１１５５へ処理を移行し、判定結果が否であれば一旦処理を抜ける。
【０１３５】
次に、各シーンに沿って、コントローラー４０の処理を説明する。
【０１３６】
（台所リモコン６０の自動ボタン６２が押された場合）
台所リモコン６０の自動ボタン６２が押されたら、コントローラー４０は、ＳＴＡＲＴ→Ｓ１０→Ｓ３０→Ｓ１００→Ｓ１１１→Ｓ１１２→Ｓ５０→Ｓ７０→Ｓ９０→Ｓ９１→Ｓ９３→ＥＮＤを繰り返し処理して、湯張りを実行する。
【０１３７】
（湯張り完了後、短時間しか経過していない状態で、人が浴室に居る場合）
コントローラー４０は、ＳＴＡＲＴ→Ｓ１０→Ｓ３０→Ｓ１００→Ｓ１１１→Ｓ１１３→Ｓ１１４→Ｓ１１５→Ｓ１１５１→Ｓ５０→Ｓ７０→Ｓ８０→Ｓ８１→ＥＮＤと処理する。
【０１３８】
（その後、人が浴室から出た場合）
コントローラー４０は、ＳＴＡＲＴ→Ｓ１０→Ｓ３０→Ｓ１００→Ｓ１１１→Ｓ１１３→Ｓ１１４→Ｓ５０→Ｓ７０→Ｓ９０→Ｓ９１→Ｓ９２→ＥＮＤと処理して、保温・保水位処理をスキップする。
【０１３９】
（その後、人が浴室に入った場合）
コントローラー４０は、ＳＴＡＲＴ→Ｓ１０→Ｓ３０→Ｓ１００→Ｓ１１１→Ｓ１１３→Ｓ１１４→Ｓ１１５→Ｓ１１５１→Ｓ１１５２→Ｓ１１５３→Ｓ１１５４→Ｓ１１５５→Ｓ５０→Ｓ７０→Ｓ８０→Ｓ８１→ＥＮＤと処理して、保温・保水位処理を実行する。
【０１４０】
その後、浴室リモコン５０の自動ボタン５２又は台所リモコン６０の自動ボタン６２が押されれば、自動モードがオフになり、それ以降はステップＳ１１０の自動ボタン処理がスキップされる。またユーザーが自動ボタンを切り忘れても、湯張りが完了してから所定時間（たとえば４時間程度）、経過すれば、ステップＳ１１６で自動ボタンがオフされ、それ以降はステップＳ１１０の自動ボタン処理がスキップされる。
【０１４１】
以上説明したように、本実施形態によれば、人感センサー５７を利用することで、浴室リモコン５０の自動ボタン５２又は台所リモコン６０の自動ボタン６２が押されて湯張りした後に、無駄に湯を沸かしたり、注湯してしまうことを防止でき、優れた省エネルギー効果を得ることができるのである。
【０１４２】
以上、本発明の実施形態について説明したが、上記実施形態は本発明の適用例の一部を示したに過ぎず、本発明の技術的範囲を上記実施形態の具体的構成に限定する趣旨ではない。
【０１４３】
たとえば、給水管路・給湯管路として、さや管ヘッダータイプを例示したが、これには限られない。先分岐タイプにも適用可能である。
【０１４４】
また、人感センサーは、浴室リモコンに設けられるものを例示したが、浴室リモコンと別体に構成されていてもよい。天井などや照明具に設けられていてもよい。
【０１４５】
さらに、上記で挙げた温度等の数値は例示に過ぎない。
【０１４６】
また、上記では、第３のリモコン（増設リモコン）を増設できるシステムにおいて第３のリモコンを設置しない場合を掲げて説明したが、そもそも第３のリモコンを増設できないシステムにも適用できることは勿論である。
【０１４７】
給湯器には給湯単能器、風呂給湯器、給湯暖房機等があるが、本発明はいずれの給湯器にも適用可能である。また給湯器にはガスを熱源としたもの、石油（灯油、重油）を熱源としたもの、電気を熱源としたもの等があるが、本発明はいずれの給湯器にも適用可能である。
【０１４８】
上記実施形態は、適宜組み合わせ可能である。
【符号の説明】
【０１４９】
１  給湯システム
１０  給湯器
４０  コントローラー（給湯温度決定部／給湯温度決定工程）
５０  浴室リモコン
５７  人感センサー
６０  台所リモコン
Ｓ２０，Ｓ４０，Ｓ６０，Ｓ８０，Ｓ９０  給湯温度決定部／給湯温度決定工程
【図１】
0006396725.tif 000002
【図２】
0006396725.tif 000003
【図３】
0006396725.tif 000004
【図４】
0006396725.tif 000005
【図５】
0006396725.tif 000006
【図６】
0006396725.tif 000007
【図７】
0006396725.tif 000008
【図８】
0006396725.tif 000009
【図９】
0006396725.tif 000010
【図１０】
0006396725.tif 000011
【図１１】
0006396725.tif 000012
【図１２】
0006396725.tif 000013